(57)【要約】【課題】脱水槽の振動を検出するセンサ素子に対する作業を効率化させる構造を有する脱水装置を提供する。【解決手段】上方に開口した脱水槽と、脱水槽を囲むように立設された側壁部を含む筐体と、脱水槽の振動に関する情報を含む検出信号を出力するセンサ要素と、検出信号に基づき、脱水槽を制御する制御装置と、を備え、脱水槽は、側壁部に対向する外面を含み、センサ要素は、振動を電気的に検出する検出素子と、検出素子を覆う保護ケースと、外面と保護ケースとに接続された接続部材と、保護ケースを接続部材に固定するための固定具と、を備え、固定具は、下方に向けて延出し、接続部材と保護ケースとに進入するロッド部と、ロッド部を操作するための操作部と、を含み、接続部材は、側壁部に向けて突出し、操作部と保護ケースとに挟まれる接続片を含み、操作部は、接続片上に現れることを特徴とする脱水装置。【選択図】図１０
2012205781.tif 000002
【特許請求の範囲】
【請求項１】
上方に開口した脱水槽と、
該脱水槽を囲むように立設された側壁部を含む筐体と、
前記脱水槽の振動に関する情報を含む検出信号を出力するセンサ要素と、
前記検出信号に基づき、前記脱水槽を制御する制御装置と、を備え、
前記脱水槽は、前記側壁部に対向する外面を含み、
前記センサ要素は、前記振動を電気的に検出する検出素子と、該検出素子を覆う保護ケースと、前記外面と前記保護ケースとに接続された接続部材と、前記保護ケースを前記接続部材に固定するための固定具と、を備え、
該固定具は、下方に向けて延出し、前記接続部材と前記保護ケースとに進入するロッド部と、該ロッド部を操作するための操作部と、を含み、
前記接続部材は、前記側壁部に向けて突出し、前記操作部と前記保護ケースとに挟まれる接続片を含み、
前記操作部は、前記接続片上に現れることを特徴とする脱水装置。
【請求項２】
前記保護ケースは、下方に突出する爪部を含み、
前記接続部材は、前記外面に対向する第１面と、該第１面とは反対側の第２面と、前記第１面と前記外面との間に空間を形成するためのスペーサ部と、を含み、
前記第２面に取り付けられた前記保護ケースの前記爪部は、前記スペーサによって形成された前記空間に挿入されることを特徴とする請求項１に記載の脱水装置。
【請求項３】
前記保護ケースは、前記接続片に固定される第１ケースと、該第１ケースに重ねられ、前記検出素子を収容するための収容空間を形成する第２ケースと、を含み、
前記第１ケースは、前記第２面に沿って配設される第１主板と、該第１主板から前記側壁部に向けて突出する第１外周壁と、該第１外周壁よりも内方で前記側壁部に向けて突出する内壁と、を含み、
前記第２ケースは、前記第１主板に対向する第２主板と、該第２主板から前記第２面に向けて突出する第２外周壁と、を含み、
前記第２外周壁は、前記第１外周壁と前記内壁との間に挿入されることを特徴とする請求項２に記載の脱水装置。
【請求項４】
前記第１ケースは、前記第１外周壁から前記接続片に向けて突出する第１固定柱を含み、
前記第２ケースは、前記第１外周壁に形成された凹部を通じて前記第２外周壁から前記接続片に向けて突出する第２固定柱を含み、
前記固定具は、前記第１固定柱に接続される第１固定具と、前記第２固定柱に接続される第２固定具と、を含むことを特徴とする請求項３に記載の脱水装置。
【請求項５】
前記第１外周壁は、前記凹部が形成された上外壁と、該上外壁と対向する下外壁と、を含み、
前記第２外周壁は、下方に突出する舌片を含み、
該舌片は、前記下外壁に形成されたスリットに挿入されることを特徴とする請求項４に記載の脱水装置。
【請求項６】
前記第１外周壁は、前記上外壁と前記下外壁との間で延びる第１外側壁を含み、
前記第１ケースは、前記第１外側壁に隣接して形成されたフック片を含み、
前記第２ケースは、前記側壁部に向けて延びる前記フック片と係合する係合部を含むことを特徴とする請求項５に記載の脱水装置。
【請求項７】
前記第１外周壁は、前記第１外側壁とは反対側の第２外側壁を含み、
前記第１ケースは、前記上外壁から突出する前記第１固定柱に加えて、前記第２外側壁に隣接する副固定柱を含み、
前記接続片は、前記副固定柱上で突出する副接続片を含み、
前記固定具は、前記副接続片と前記副固定柱とを接続する第３固定具を含むことを特徴とする請求項６に記載の脱水装置。
【請求項８】
前記脱水槽を駆動する駆動源を更に備え、
前記脱水槽は、前記駆動源によって回転される内槽と、該内槽を収容する外槽と、を含み、
前記外槽は、前記センサ要素が取り付けられる周壁と、前記駆動源が取り付けられる底壁を含み、
前記周壁は、前記底壁が接続される第１縁と、該第１縁とは反対側の第２縁とを含み、
前記センサ要素は、前記第２縁の近傍に取り付けられることを特徴とする請求項１乃至７のいずれか１項に記載の脱水装置。
【請求項９】
前記脱水槽の下方への変位を抑制する抑制要素を更に備え、
前記側壁部は、前記センサ要素に近接した近接壁を含み、
前記抑制要素は、前記内槽の回転中心に対して、前記近接壁側に偏心して配設されることを特徴とする請求項８に記載の脱水装置。
【請求項１０】
前記抑制要素は、前記衣類を乾燥するための乾燥空気を前記脱水槽に送り込むとともに該脱水槽から前記乾燥空気を回収するように前記脱水槽の周りで前記乾燥空気を循環させる循環システムを含むことを特徴とする請求項９に記載の脱水装置。
【請求項１１】
前記検出素子は、前記外槽の半径方向の加速度成分及び前記外槽の周方向の加速度成分のうち少なくとも一方を検出することを特徴とする請求項１乃至１０のいずれか１項に記載の脱水装置。
【請求項１２】
前記検出素子は、前記外槽の半径方向の加速度成分及び前記外槽の周方向の加速度成分に対して直交する方向の加速度成分を検出することを特徴とする請求項１１に記載の脱水装置。
【発明の詳細な説明】
【技術分野】
【０００１】
本発明は、衣類を脱水するための脱水装置に関する。
【背景技術】
【０００２】
脱水装置は、典型的には、衣類を脱水するための脱水槽と脱水槽を収容する筐体とを備える。脱水槽は、一般的に、衣類を脱水するために回転する内槽と、内槽を収容する外槽を備える。内槽の周壁には、多数の透孔が形成される。衣類から脱水された水は、透孔を通じて、内槽から排出される。外槽は、内槽から出た水を受け止める。
【０００３】
脱水処理を受ける衣類は、水を含んでいるので、比較的重い。内槽の回転によって、衣類は、内槽の周壁に衝突する。この結果、脱水が促される。その一方で、衣類と内槽の周壁との衝突は、脱水槽の振動を引き起こす。
【０００４】
特許文献１乃至７は、脱水槽の大きな振幅を検出するスイッチ素子を開示する。脱水槽が大きく変位したとき、スイッチ素子が作動し、内槽の回転が停止される。
【０００５】
特許文献８及び９は、スイッチ素子の代わりに、加速度センサを用いて、脱水槽の振動を検出する洗濯機を開示する。特許文献８及び９の開示によれば、加速度センサは、スイッチ素子では検出が困難な高速回転時における脱水槽の振動も検出することができる。
【先行技術文献】
【特許文献】
【０００６】
【特許文献１】特開平６−２８２号公報
【特許文献２】特開平３−７０５９３号公報
【特許文献３】特開平３−７０５９４号公報
【特許文献４】特開平３−７０５９５号公報
【特許文献５】特開平３−７０５９６号公報
【特許文献６】特開平３−７７５８４号公報
【特許文献７】特開平３−２８９９９８号公報
【特許文献８】特開平５−２３７２９０号公報
【特許文献９】特開平１０−４３４６９号公報
【発明の概要】
【発明が解決しようとする課題】
【０００７】
脱水装置の小型化のため、脱水槽と筐体との間の距離は比較的狭く設計される。上述の加速度センサは、典型的には脱水槽に直接的に取り付けられる。脱水槽と筐体との間の狭い空間に配設された加速度センサ或いは他のセンサ要素に対するメンテナンスや他の作業は、熟練した技術を要求する。
【０００８】
本発明は、脱水槽の振動を検出するセンサ素子に対する作業を効率化させる構造を有する脱水装置を提供することを目的とする。
【課題を解決するための手段】
【０００９】
本発明の一局面に係る脱水装置は、上方に開口した脱水槽と、該脱水槽を囲むように立設された側壁部を含む筐体と、前記脱水槽の振動に関する情報を含む検出信号を出力するセンサ要素と、前記検出信号に基づき、前記脱水槽を制御する制御装置と、を備え、前記脱水槽は、前記側壁部に対向する外面を含み、前記センサ要素は、前記振動を電気的に検出する検出素子と、該検出素子を覆う保護ケースと、前記外面と前記保護ケースとに接続された接続部材と、前記保護ケースを前記接続部材に固定するための固定具と、を備え、該固定具は、下方に向けて延出し、前記接続部材と前記保護ケースとに進入するロッド部と、該ロッド部を操作するための操作部と、を含み、前記接続部材は、前記側壁部に向けて突出し、前記操作部と前記保護ケースとに挟まれる接続片を含み、前記操作部は、前記接続片上に現れることを特徴とする。
【００１０】
上記構成によれば、筐体は、上方に開口した脱水槽を囲むように立設された側壁部を含む。センサ要素は、脱水槽の振動に関する情報を含む検出信号を出力する。制御装置は、検出信号に基づき、脱水槽を制御する。したがって、脱水槽の振動に応じた脱水装置の動作が達成される。
【００１１】
センサ要素は、振動を電気的に検出する検出素子と、検出素子を覆う保護ケースと、側壁部に対向する脱水槽の外面と保護ケースとに接続される接続部材と、保護ケースを接続部材に固定するための固定具と、を備える。保護ケースは、検出素子を覆うので、検出素子は適切に保護される。
【００１２】
固定具は、下方に向けて延出し、接続部材と保護ケースとに進入するロッド部と、ロッド部を操作するためのロッド部と、を含む。接続部材は、側壁部に向けて突出し、操作部と保護ケースとに挟まれる接続片を含む。操作部は、接続片上に現れるので、作業者は、容易に操作部を操作し、ロッド部を抜き差しすることができる。かくして、脱水槽の振動を検出するセンサ要素に対する効率的な作業が達成される。
【００１３】
上記構成において、前記保護ケースは、下方に突出する爪部を含み、前記接続部材は、前記外面に対向する第１面と、該第１面とは反対側の第２面と、前記第１面と前記外面との間に空間を形成するためのスペーサ部と、を含み、前記第２面に取り付けられた前記保護ケースの前記爪部は、前記スペーサによって形成された前記空間に挿入されることが好ましい。
【００１４】
上記構成によれば、保護ケースは、下方に突出する爪部を含む。接続部材のスペーサ部は、第１面と外面との間に空間を形成する。第１面とは反対側の第２面に取り付けられた保護ケースの爪部は、スペーサによって形成された空間に挿入されるので、保護ケースは適切に接続部材に固定される。
【００１５】
上記構成において、前記保護ケースは、前記接続片に固定される第１ケースと、該第１ケースに重ねられ、前記検出素子を収容するための収容空間を形成する第２ケースと、を含み、前記第１ケースは、前記第２面に沿って配設される第１主板と、該第１主板から前記側壁部に向けて突出する第１外周壁と、該第１外周壁よりも内方で前記側壁部に向けて突出する内壁と、を含み、前記第２ケースは、前記第１主板に対向する第２主板と、該第２主板から前記第２面に向けて突出する第２外周壁と、を含み、前記第２外周壁は、前記第１外周壁と前記内壁との間に挿入されることが好ましい。
【００１６】
上記構成によれば、保護ケースの第１ケースは、接続片に固定される。保護ケースの第２ケースは、第１ケースに重ねられ、検出素子を収容するための収容空間を形成する。第１ケースは、第２面に沿って配設される第１主板と、第１主板から側壁部に向けて突出する第１外周壁と、第１外周壁よりも内方で側壁部に向けて突出する内壁と、を含む。第２ケースは、第１主板に対向する第２主板と、第２主板から第２面に向けて突出する第２外周壁と、を含む。第２外周壁は、第１外周壁と内壁との間に挿入されるので、収容空間内の検出素子は、第１外周壁、第２外周壁及び内壁によって適切に保護される。また、検出素子が水に曝されにくくなる。
【００１７】
上記構成において、前記第１ケースは、前記第１外周壁から前記接続片に向けて突出する第１固定柱を含み、前記第２ケースは、前記第１外周壁に形成された凹部を通じて前記第２外周壁から前記接続片に向けて突出する第２固定柱を含み、前記固定具は、前記第１固定柱に接続される第１固定具と、前記第２固定柱に接続される第２固定具と、を含むことが好ましい。
【００１８】
上記構成によれば、第１ケースは、第１外周壁から接続片に向けて突出する第１固定柱を含む。第２ケースは、第１外周壁に形成された凹部を通じて第２外周壁から接続片に向けて突出する第２固定柱を含む。第１固定具は、第１固定柱に接続される。また、第２固定具は、第２固定柱に接続される。したがって、第１ケース及び第２ケースはともに、固定具によって適切に固定される。
【００１９】
上記構成において、前記第１外周壁は、前記凹部が形成された上外壁と、該上外壁と対向する下外壁と、を含み、前記第２外周壁は、下方に突出する舌片を含み、該舌片は、前記下外壁に形成されたスリットに挿入されることが好ましい。
【００２０】
上記構成によれば、第１外周壁は、凹部が形成された上外壁と、上外壁と対向する下外壁と、を含む。第２外周壁は、下方に突出する舌片を含む。舌片は、下外壁に形成されたスリットに挿入されるので、第２ケースは、第１ケースと固定具とによって適切に固定される。
【００２１】
上記構成において、前記第１外周壁は、前記上外壁と前記下外壁との間で延びる第１外側壁を含み、前記第１ケースは、前記第１外側壁に隣接して形成されたフック片を含み、前記第２ケースは、前記側壁部に向けて延びる前記フック片と係合する係合部を含むことが好ましい。
【００２２】
上記構成によれば、第１外周壁は、上外壁と下外壁との間で延びる第１外側壁を含む。第１ケースは、第１外側壁に隣接して形成されたフック片を含む。第２ケースの係合部は、側壁部に向けて延びるフック片と係合するので、第２ケースは、第１ケースに対して適切に固定される。
【００２３】
上記構成において、前記第１外周壁は、前記第１外側壁とは反対側の第２外側壁を含み、前記第１ケースは、前記上外壁から突出する前記第１固定柱に加えて、前記第２外側壁に隣接する副固定柱を含み、前記接続片は、前記副固定柱上で突出する副接続片を含み、前記固定具は、前記副接続片と前記副固定柱とを接続する第３固定具を含むことが好ましい。
【００２４】
上記構成によれば、第１ケースは、上外壁から突出する第１固定柱に加えて、第１外側壁とは反対側の第２外側壁に隣接する副固定柱を含む。接続片は、副固定柱上で突出する副接続片を含む。第３固定具は、副接続片と副固定柱とを接続するので、第１ケースは接続部材に適切に固定される。
【００２５】
上記構成において、脱水装置は、前記脱水槽を駆動する駆動源を更に備え、前記脱水槽は、前記駆動源によって回転される内槽と、該内槽を収容する外槽と、を含み、前記外槽は、前記センサ要素が取り付けられる周壁と、前記駆動源が取り付けられる底壁を含み、前記周壁は、前記底壁が接続される第１縁と、該第１縁とは反対側の第２縁とを含み、前記センサ要素は、前記第２縁の近傍に取り付けられることが好ましい。
【００２６】
上記構成によれば、駆動源によって回転される内槽を収容する外槽は、センサ要素が取り付けられる周壁と、駆動源が取り付けられる底壁を含む。周壁は、底壁が接続される第１縁と、第１縁とは反対側の第２縁とを含む。駆動源が取り付けられる底壁が接続される第１縁とは反対側の第２縁の振幅は比較的大きいので、第２縁の近傍に取り付けられたセンサ要素は、脱水槽の振動を適切に検出することができる。
【００２７】
上記構成において、前記脱水装置は、前記脱水槽の下方への変位を抑制する抑制要素を更に備え、前記側壁部は、前記センサ要素に近接した近接壁を含み、前記抑制要素は、前記内槽の回転中心に対して、前記近接壁側に偏心して配設されることが好ましい。
【００２８】
上記構成によれば、脱水槽の下方への変位を抑制する抑制要素は、内槽の回転中心に対して、センサ要素に近接した近接壁側に偏心して配設されるので、脱水槽は、近接壁に向けて傾斜しにくくなる。したがって、センサ要素は水に曝されにくくなる。
【００２９】
上記構成において、前記抑制要素は、前記衣類を乾燥するための乾燥空気を前記脱水槽に送り込むとともに該脱水槽から前記乾燥空気を回収するように前記脱水槽の周りで前記乾燥空気を循環させる循環システムを含むことが好ましい。
【００３０】
上記構成によれば、抑制要素は、衣類を乾燥するための乾燥空気を脱水槽に送り込むとともに脱水槽から乾燥空気を回収するように脱水槽の周りで乾燥空気を循環させる循環システムを含む。したがって、衣類は、脱水処理だけでなく乾燥処理も受けることができる。
【００３１】
上記構成において、前記検出素子は、前記外槽の半径方向の加速度成分及び前記外槽の周方向の加速度成分のうち少なくとも一方を検出することが好ましい。
【００３２】
上記構成によれば、検出素子は、外槽の半径方向の加速度成分及び外槽の周方向の加速度成分のうち少なくとも一方を検出するので、脱水槽の振動が適切に検出される。
【００３３】
上記構成において、前記検出素子は、前記外槽の半径方向の加速度成分及び前記外槽の周方向の加速度成分に対して直交する方向の加速度成分を検出することが好ましい。
【００３４】
上記構成によれば、検出素子は、外槽の半径方向の加速度成分及び外槽の周方向の加速度成分に対して直交する方向の加速度成分を検出するので、様々な振動パターンに対応して、脱水槽が制御される。
【発明の効果】
【００３５】
本発明に係る脱水装置は、脱水槽の振動を検出するセンサ素子に対する作業を効率化させることができる。
【図面の簡単な説明】
【００３６】
【図１】一実施形態に従う脱水装置として例示される洗濯機の概略的な断面図である。
【図２】図１に示される洗濯機の下部筐体の概略的な展開斜視図である。
【図３】図１に示される洗濯機の上部筐体の概略的な斜視図である。
【図４】図３に示される上部筐体の概略的な展開斜視図である。
【図５】図１に示される洗濯機の処理槽の概略的な展開斜視図である。
【図６】図１に示される洗濯機の概略的な平面拡大図である。
【図７】図１に示される洗濯機の熱交換器の取付構造を表す概略的な展開斜視図である。
【図８】図１に示される洗濯機の概略的な平面拡大図である。
【図９】図１に示される洗濯機の加速度センサの概略的な縦断面図である。
【図１０】図９に示される加速度センサの概略的な展開斜視図である。
【図１１】図９に示される加速度センサの概略的な正面図である。
【図１２】図９に示される加速度センサの概略的な横断面図である。
【図１３】図９に示される加速度センサの概略的な正面図である。
【図１４】図９に示される加速度センサの概略的な平面図である。
【図１５】図９に示される加速度センサの概略的な背面図である。
【図１６】図９に示される加速度センサの下部の概略的な拡大断面図である。
【図１７】図９に示される加速度センサの概略的な底面図である。
【発明を実施するための形態】
【００３７】
以下、図面を参照しつつ、脱水装置の一実施形態が説明される。尚、以下の説明で用いられる「上」、「下」、「左」や「右」などの方向を表す用語は、単に、説明の明瞭化を目的とするものであり、脱水装置の原理を何ら限定するものではない。
【００３８】
（洗濯機）
図１は、本実施形態に従う脱水装置として例示される洗濯機の概略的な縦断面図である。図１を用いて、洗濯機が説明される。尚、図１に示される洗濯機は、衣類を洗濯するための洗濯機能だけでなく、衣類を乾燥するための乾燥機能を有する。脱水装置は、衣類を脱水する機能を有する様々な装置であり、洗濯機以外の装置であってもよい。
【００３９】
洗濯機１００は、略矩形箱状の筐体１１０と、筐体１１０内に配設される処理槽２００と、を備える。上方に開口した処理槽２００は、洗濯処理、脱水処理や乾燥処理といった様々な処理を行う。本実施形態において、処理槽２００は、衣類を脱水するための脱水槽として例示される。
【００４０】
筐体１１０は、略矩形箱状の下部筐体１２０と、下部筐体１２０上に固定される上部筐体１３０と、を備える。処理槽２００は、主に、下部筐体１２０内に収容される。
【００４１】
図２は、下部筐体１２０の概略的な展開斜視図である。図１及び図２を用いて、下部筐体１２０が説明される。
【００４２】
下部筐体１２０は、略矩形筒状の側壁部１２１と、側壁部１２１を支持する矩形枠状の台座部１２２と、を備える。台座部１２２に固定された側壁部１２１は、処理槽２００を囲むように立設される。
【００４３】
側壁部１２１は、背面壁１２３と、背面壁１２３とは反対側の正面壁１２４と、背面壁１２３と正面壁１２４との間で立設する左壁１２５と、左壁１２５とは反対側の右壁１２６と、を含む。
【００４４】
図３は、上部筐体１３０の概略的な斜視図である。図１乃至図３を用いて、上部筐体１３０が説明される。
【００４５】
上部筐体１３０は、洗濯機１００の上面を形成する天壁１３１と、下部筐体１２０の背面壁１２３と略面一となる上背面壁１３３と、下部筐体１２０の正面壁１２４と略面一となる上正面壁１３４と、下部筐体１２０の左壁１２５と略面一となる上左壁１３５と、下部筐体１２０の右壁１２６と略面一となる上右壁１３６と、を含む。
【００４６】
図１に示される如く、背面壁１２３に沿って、制御装置１５０が取り付けられる。制御装置１５０は、洗濯機１００の洗濯処理、脱水処理や乾燥処理といった様々な処理の制御を司る。
【００４７】
図３に示される如く、天壁１３１の正面縁１３７に沿って、操作パネル１５１が取り付けられる。操作パネル１５１は、制御装置１５０に電気的に接続される。使用者は、操作パネル１５１を操作し、洗濯機１００に所望の動作をさせることができる。
【００４８】
図３に示される如く、天壁１３１には、略円形の開口部１３８が形成される。図１に示される如く、上部筐体１３０は、開口部１３８を閉塞する蓋体１３９を更に備える。蓋体１３９は、天壁１３１に対して、上下に回動可能に取り付けられる。使用者は、蓋体１３９を上方に回動させ、処理槽２００へ衣類を投入することができる。或いは、使用者は、蓋体１３９を上方に回動させ、処理槽２００から衣類を取り出すことができる。
【００４９】
図４は、上部筐体１３０に取り付けられる様々な要素を示す概略的な展開斜視図である。図１、図２及び図４を用いて、上部筐体１３０に取り付けられる要素が説明される。
【００５０】
洗濯機１００は、処理槽２００の振動を検出する機械式のスイッチ素子１５２を備える。制御装置１５０に電気的に接続されたスイッチ素子１５２は、処理槽２００の振動に関する情報を含む検出信号を出力する。制御装置１５０は、スイッチ素子１５２からの検出信号に基づいて、処理槽２００を制御する。
【００５１】
洗濯機１００は、スイッチ素子１５２を支持する支持片１４０を更に備える。支持片１４０は、上部筐体１３０の上背面壁１３３に沿って固定される。支持片１４０の左端に取り付けられたスイッチ素子１５２は、下方に突出し、下部筐体１２０の背面壁１２３及び左壁１２５との間の角隅部に侵入する。
【００５２】
スイッチ素子１５２は、下方に延出するレバー部１５３と、レバー部１５３の姿勢に応じて検出信号を生成及び出力する信号生成部１５４と、を含む。処理槽２００が、背面壁１２３及び左壁１２５との間の角隅部に向けて大きく変位するならば、図４に示される如く、レバー部１５３は、背面壁１２３（及び、上背面壁１３３）に向けて回動する。このとき、信号生成部１５４は、処理槽２００の回転を停止（或いは、減速）するための検出信号を生成及び出力する。以下の説明において、背面壁１２３及び左壁１２５との間の角隅部に向かう方向は、第１方向ＦＤと称される。また、第１方向ＦＤと反対の方向は、第２方向ＳＤと称される。
【００５３】
図５は、処理槽２００の概略的な展開斜視図である。図１乃至図３並びに図５を用いて、処理槽２００が説明される。
【００５４】
処理槽２００は、衣類を脱水するために回転する内槽２１０と、内槽２１０を収容する外槽２２０と、を備える。使用者は、上部筐体１３０の蓋体１３９を開け、衣類を内槽２１０に収容することができる。
【００５５】
図１に示される如く、内槽２１０は、略円筒形状の周壁２１１と、周壁２１１の下端に接続される底壁２１２と、を備える。周壁２１１には、多数の透孔２１３が形成される。衣類から脱水された水は、透孔２１３を通じて、内槽２１０から排出される。外槽２２０は、透孔２１３から排出された水を受ける。
【００５６】
外槽２２０は、略円筒形状の周壁２２１と、周壁２２１に接続される底壁２２２と、を備える。周壁２２１は、底壁２２２が接続する下縁２２３と、下縁２２３とは反対側に上縁２２４と、を含む。本実施形態において、下縁２２３は、第１縁として例示される。また、上縁２２４は、第２縁として例示される。
【００５７】
図１に示される如く、底壁２２２には開口部２２５が形成される。衣類から脱水された水は、開口部２２５を通じて、外槽２２０から排出される。洗濯機１００は、開口部２２５に接続される接続ダクト２２６と、筐体１１０外へ水を排出するための排水システム３００と、を更に備える。
【００５８】
図２に示される如く、台座部１２２は、側壁部１２１の背面壁１２３に略面一となる下背面壁１４３と、側壁部１２１の正面壁１２４と略面一となる下正面壁１４４と、側壁部１２１の左壁１２５と略面一となる下左壁１４５と、側壁部１２１の右壁１２６と略面一となる下右壁１４６と、を含む。下背面壁１４３には、排水口１４２が形成される。
【００５９】
図１に示される如く、排水システム３００は、接続ダクト２２６に接続される第１端部３１１と排水口１４２に接続される第２端部３１２とを含む排水管３１０と、制御装置１５０の制御下で排水管３１０を開閉する排水弁３２０と、を備える。排水弁３２０が排水管３１０を開くと、外槽２２０中の水が排水管３１０を通じて、筐体１１０外へ排出される。
【００６０】
図１及び図５に示されるように、処理槽２００は、略丸皿状のパルセータ２３０を備える。パルセータ２３０は、内槽２１０の底壁２１２上で横たわる円板部２３１と、円板部２３１の周縁から上方に突出する傾斜リング２３２と、を含む。傾斜リング２３２は、上方に向けて拡がる。パルセータ２３０は、円板部２３１及び傾斜リング２３２の上面から突出する攪拌リブ２３３を更に備える。攪拌リブ２３３は、放射状に延びる。パルセータ２３０は、衣類を洗濯する間及び／又は衣類を乾燥する間、回転する。かくして、これらの工程において、衣類は適切に攪拌される。
【００６１】
洗濯機１００は、制御装置１５０の制御下で、内槽２１０及びパルセータ２３０を選択的に回転する駆動機構４００を更に備える。駆動機構４００は、内槽２１０又はパルセータ２３０を回転させる駆動力を発生させる駆動モータ４１０と、内槽２１０に接続された第１シャフト４２０と、パルセータ２３０に接続される第２シャフト４３０と、駆動モータ４１０の駆動力の伝達を、第１シャフト４２０と第２シャフト４３０との間で切り替えるクラッチ装置４４０と、を備える。制御装置１５０の制御下で動作する駆動モータ４１０及びクラッチ装置４４０は、外槽２２０の底壁２２２に固定される。第１シャフト４２０は、外槽２２０の底壁２２２を貫き、内槽２１０の底壁２１２に接続される。第１シャフト４２０と同心回転する第２シャフト４３０は、第１シャフト４２０から突出し、内槽２１０内のパルセータ２３０に接続される。本実施形態において、駆動モータ４１０は、駆動源として例示される。
【００６２】
衣類を洗濯するための洗濯工程において、クラッチ装置４４０は、第２シャフト４３０へ駆動力が伝達されるように駆動力の伝達経路を切り替える。この結果、洗濯工程において、パルセータ２３０は、内槽２１０内で回転する。
【００６３】
図１に示される如く、洗濯機１００は、衣類の洗濯に用いられる水を処理槽２００へ供給するための給水システム５００を更に備える。給水システム５００は、上部筐体１３０の天壁１３１に形成された給水口５０１（図３参照）に取り付けられる給水部５１０と、給水部５１０から供給された水の経路を切り替える切替弁５２０と、切替弁５２０から外槽２２０への水の経路を規定する給水管５３０と、を備える。
【００６４】
給水部５１０は、例えば、水道の蛇口（図示せず）に接続される。切替弁５２０が給水管５３０への水路を開くと、水は、処理槽２００へ供給される。
【００６５】
図５に示される如く、処理槽２００は、洗濯中の衣類から分離したリントを捕捉並びに回収する回収袋２１４と、内槽２１０のバランスを保つように作用する流体バランサ２１５と、を含む。回収袋２１４及び流体バランサ２１５は、内槽２１０の上縁に取り付けられる。
【００６６】
図１に示される如く、外槽２２０は、周壁２２１の上縁２２４に接続され、内槽２１０上で横たわる上板２２７と、上板２２７に対して上下に回動可能に取り付けられた内蓋２２９と、を更に備える。使用者は、上部筐体１３０の蓋体１３９の下方の内蓋２２９を上方に回動させ、内槽２１０へ衣類を投入することができる。或いは、使用者は、内槽２１０から衣類を取り出すことができる。使用者が内蓋２２９を下方に回動させると、上板２２７と内蓋２２９との間でシール構造が形成される。かくして、処理槽２００内の水が上板２２７の開口部からほとんど或いは全く漏出しない。
【００６７】
洗濯機１００は、衣類を乾燥するための乾燥空気を循環する循環システム６００を更に備える。循環システム６００は、接続ダクト２２６に接続された管型の熱交換器６１０と、切替弁５２０から熱交換器６１０へ水を案内する案内管６１１と、を備える。切替弁５２０が案内管６１１への水路を開くと、水は熱交換器６１０へ供給される。
【００６８】
熱交換器６１０は、接続ダクト２２６に接続される下端部６１２と、案内管６１１に接続される上端部６１３と、を含む。上方に向けて流れる乾燥空気は、熱交換器６１０の上端部６１３から流入した水と熱交換する。この結果、乾燥空気は、適切に除湿される。
【００６９】
循環システム６００は、背面壁１２３に取り付けられた冷却ファン６２０を更に備える。冷却ファン６２０は、熱交換器６１０に向けて送風し、乾燥空気を冷却する。この結果、乾燥空気の除湿が促進される。
【００７０】
循環システム６００は、除湿された乾燥空気を処理槽２００へ送り込む送風ファン６３０と、送風ファン６３０と処理槽２００との間で乾燥空気を加熱するヒータ６４０と、加熱された乾燥空気を処理槽２００へ案内する導入管６５０と、を更に備える。導入管６５０は、上板２２７に接続される。循環システム６００は、導入管６５０を通じて、処理槽２００へ乾燥空気を送り込むとともに接続ダクト２２６を通じて乾燥空気を回収することができる。かくして、処理槽２００の周りでの乾燥空気の循環が達成される。
【００７１】
洗濯機１００は、筐体１１０と外槽２２０とを接続するサスペンション要素２４０を更に備える。外槽２２０を支持するサスペンション要素２４０は、外槽２２０から筐体１１０へ伝達される振動を減衰させる。
【００７２】
図６は、正面壁１２４と右壁１２６との間の角隅部の周りの概略的な拡大平面図である。図１、図２、図４及び図６を用いて、洗濯機１００が更に説明される。
【００７３】
パルセータ２３０、内槽２１０及び外槽２２０は、略同心に配設される。脱水工程において、水を含んだ比較的重い衣類は、内槽２１０の周壁２１１に衝突する。或いは、衣類は、内槽２１０内で潜在的に偏在する。衣類の衝突及び／又は偏在は、処理槽２００の振動を引き起こす。
【００７４】
外槽２２０の周壁２２１は、内槽２１０の周壁２１１に対向する内面２４１と、内面２４１とは反対側の外面２４２と、を含む。外面２４２は、側壁部１２１に対向する。図６に示される如く、外面２４２は、側壁部１２１に近接している。
【００７５】
洗濯機１００は、加速度センサ７００を更に備える。周壁２２１の外面２４２に取り付けられた加速度センサ７００は、外面２４２の加速度を検出する。また、加速度センサ７００は、外面２４２の加速度に応じた検出信号を制御装置１５０へ出力する。外面２４２の加速度は、処理槽２００の振動に関する情報である。本実施形態において、加速度センサ７００は、センサ要素として例示される。
【００７６】
加速度センサ７００は、好ましくは、外槽２２０の半径方向の加速度成分及び外槽２２０の周方向の加速度成分のうち少なくとも一方を検出する。この結果、外槽２２０の振動は、適切に測定される。更に好ましくは、加速度センサ７００は、外槽２２０の半径方向の加速度成分及び外槽２２０の周方向の加速度成分に加えて、上下方向（即ち、外槽２２０の半径方向及び外槽２２０の周方向に対して直交する方向）の加速度成分を検出してもよい。この結果、制御装置１５０は、加速度センサ７００からの検出信号に基づいて、外槽２２０の振動パターンを適切に解析し、処理槽２００の動作を制御する。
【００７７】
加速度センサ７００は、外槽２２０と正面壁１２４と右壁１２６とに囲まれる角隅部に配設される。略円筒状の外槽２２０と略矩形筒状の側壁部１２１との間に形成される空間は、加速度センサ７００の配置に好適に利用されるので、加速度センサ７００の配置のための追加的な空間の確保は必要とされない。かくして、小型の洗濯機１００が提供される。
【００７８】
図４に関連して説明された如く、スイッチ素子１５２は、背面壁１２３と左壁１２５との間の角隅部に配設される。一方、加速度センサ７００は、正面壁１２４と右壁１２６との間の角隅部に配設される。したがって、加速度センサ７００は、スイッチ素子１５２に対して、筐体１１０の対角線上に（即ち、スイッチ素子１５２に対して、第２方向ＳＤに）配設される。
【００７９】
図６に示される如く、処理槽２００が時計回りに回転するならば、右壁１２６と背面壁１２３との間における衣類の偏在及び／又は衝突に起因する処理槽２００の振動は、加速度センサ７００によって検出される。左壁１２５と正面壁１２４との間における衣類の偏在及び／又は衝突に起因する処理槽２００の振動は、スイッチ素子１５２によって検出される。したがって、処理槽２００が半回転する期間以内で、処理槽２００の振動は加速度センサ７００及びスイッチ素子１５２のうち少なくとも一方によって検出されることとなる。かくして、処理槽２００の振動は、迅速に検出される。
【００８０】
制御装置１５０は、スイッチ素子１５２及び加速度センサ７００から出力された検出信号に基づき、処理槽２００の振動モードを解析する。処理槽２００の振幅が、振幅に対して定められた閾値を超えるならば、制御装置１５０は、駆動モータ４１０の回転数を低減させる。或いは、制御装置１５０は、駆動モータ４１０を停止させる。かくして、処理槽２００の運動量が低減され、処理槽２００の振幅が小さくなる。
【００８１】
図６に示される如く、外槽２２０の外面２４２は、側壁部１２１に近接している。上述の如く、加速度センサ７００及びスイッチ素子１５２によって、処理槽２００の振動は、迅速に検出されるので、外槽２２０の外面２４２と側壁部１２１との間の空間が狭くとも、外槽２２０と側壁部１２１との衝突は回避或いは緩和される。したがって、小型の洗濯機１００が提供される。
【００８２】
加速度センサ７００は、好ましくは、外槽２２０の上縁２２４の近傍に取り付けられる。加速度センサ７００を調整或いは修繕しようとする作業者は、上部筐体１３０を下部筐体１２０から分離した後、外槽２２０の上縁２２４の近傍に取り付けられた加速度センサ７００に容易にアクセスすることができる。したがって、加速度センサ７００のメンテナンス、取付或いは除去が容易に行われる。加えて、外槽２２０の上縁２２４の振幅は、比較的大きいので、外槽２２０の上縁２２４の近傍に取り付けられた加速度センサ７００は、外槽２２０の加速度を適切に検出することができる。
【００８３】
図７は、筐体１１０に取り付けられる熱交換器６１０の概略的な斜視図である。図８は、右壁１２６と背面壁１２３との間の角隅部の周りの概略的な拡大平面図である。図１、図６乃至図８を用いて、熱交換器６１０の取付が説明される。
【００８４】
筐体１１０は、背面壁１２３に取り付けられる背面カバー板１２９を更に含む。背面カバー板１２９と背面壁１２３との間で、熱交換器６１０は立設される。図８に示される如く、熱交換器６１０は、右壁１２６の近傍に配設される。したがって、図１に関連して説明された循環システム６００は、処理槽２００の回転中心に対して、加速度センサ７００に近接した右壁１２６寄りに偏心して配設される。本実施形態において、右壁１２６は、近接壁として例示される。
【００８５】
循環システム６００は、右壁１２６の近くで、処理槽２００の上面（即ち、上板２２７）及び下面（即ち、外槽２２０の底壁２２２）と接続される。また、熱交換器６１０は、背面壁１２３及び背面カバー板１２９に沿って上方に延びる。したがって、循環システム６００は、右壁１２６と背面壁１２３との間の角隅部の近傍領域を中心に、処理槽２００の上下方向への変位を抑制する。本実施形態において、循環システム６００は、抑制要素として例示される。
【００８６】
一方、右壁１２６と背面壁１２３との間の角隅部と対角線上に存する左壁１２５と正面壁１２４との間の角隅部の近傍領域において、処理槽２００は、比較的、上下動しやすい。例えば、使用者が上板２２７上に水を零したとき、それ故、水は、左壁１２５と正面壁１２４との間の角隅部に向けて流れる。本実施形態において、左壁１２５と正面壁１２４との間の角隅部には、加速度センサ７００やスイッチ素子１５２といったセンサ要素は存在しないので、上板２２７上で零された水によって、加速度センサ７００やスイッチ素子１５２といったセンサ要素が故障することはほとんどない。かくして、信頼性の高い洗濯機１００が提供される。
【００８７】
（加速度センサの構造）
図９は、加速度センサ７００の概略的な縦断面図である。図１０は、加速度センサ７００の概略的な展開斜視図である。図１１は、加速度センサ７００の概略的な正面図である。図１、図６、図９乃至図１１を用いて、加速度センサ７００の構造が説明される。
【００８８】
加速度センサ７００は、外槽２２０の加速度（即ち、処理槽２００の振動）を検出する検出素子７１０を備える。検出素子７１０は、好ましくは、外槽２２０の半径方向の加速度成分及び外槽２２０の周方向の加速度成分のうち少なくとも一方を電気的に検出する。この結果、外槽２２０の振動は、適切に測定される。更に好ましくは、検出素子７１０は、外槽２２０の半径方向の加速度成分及び外槽２２０の周方向の加速度成分に加えて、上下方向（即ち、外槽２２０の半径方向及び外槽２２０の周方向に対して直交する方向）の加速度成分を検出してもよい。
【００８９】
検出素子７１０は、外槽２２０の加速度を検出する検出部７１１と、検出部７１１が生成した検出信号を制御装置１５０に伝達するための信号線７１２と、を含む。制御装置１５０は、加速度センサ７００からの検出信号に基づいて、外槽２２０の振動パターンを適切に解析し、処理槽２００の動作を制御する。
【００９０】
加速度センサ７００は、検出素子７１０を保護する保護ケース８００と、外槽２２０の外面２４２及び保護ケース８００に接続される接続板７５０と、を更に備える。本実施形態において、接続板７５０は、接続部材として例示される。
【００９１】
接続板７５０は、外槽２２０の外面２４２に沿って固定されるベース板７５１と、ベース板７５１から側壁部１２１に向けて、略直角に折り曲げられた折曲片７５２を含む。本実施形態において、折曲片７５２は、接続片として例示される。
【００９２】
ベース板７５１は、外槽２２０の外面２４２に対向する第１面７５３と、第１面７５３とは反対側の第２面７５４と、を含む。接続板７５０は、ベース板７５１の周縁に沿って、外槽２２０に向けて折り曲げられた周リブ７５５を更に含む。周リブ７５５は、第１面７５３と外槽２２０の外面２４２との間に空間を形成する。本実施形態において、周リブ７５５は、スペーサ部として例示される。
【００９３】
なお通常は、剛性の低い樹脂製の外槽２２０が脱水時の振動によって変形や撓みを発生し、ノイズが発生する等のチップ７１３における誤出力を招く可能性もあるが、ベース板７５１を剛性の高い板金製とすれば、チップ７１３が外槽２２０の加速度を検知するとき、このような外槽２２０の変形や撓みの影響を受けにくく、チップ７１３が外槽２２０の加速度をより正確に検知できる効果もある。
【００９４】
保護ケース８００は、ベース板７５１に沿って配設される第１ケース８５０と、第１ケース８５０に重ねられる第２ケース８１０と、を含む。
【００９５】
図１２は、加速度センサ７００の概略的な横断面図である。図９、図１０及び図１２を用いて、保護ケース８００が説明される。
【００９６】
第１ケース８５０は、ベース板７５１の第２面７５４に沿って配設される第１主板８５１と、第１主板８５１の周縁から側壁部１２１に向けて突出する第１外周壁８５２と、第１外周壁８５２よりも内方で、側壁部１２１に向けて突出する内壁８５３と、を備える。
【００９７】
図１３は、第２ケース８１０が除去された加速度センサ７００の概略的な正面図である。図９乃至図１３を用いて、第１ケース８５０及び第２ケース８１０が説明される。
【００９８】
検出部７１１は、加速度を検出するチップ７１３と、チップ７１３と信号線７１２とを接続するコネクタ７１４と、を備える。内壁８５３は、第１外周壁８５２によって囲まれた空間を区画し、チップ７１３及びコネクタ７１４を収容並びに保持するための収容室を形成する。
【００９９】
図１０に示される如く、第１外周壁８５２は、略Ｕ字形状の凹部８５４が形成された上外壁８５５と、上外壁８５５と対向する下外壁８５６と、を備える。下外壁８５６には、信号線７１２が挿通されるための凹部８５７が形成される。
【０１００】
図１２に示される如く、第２ケース８１０は、第１主板８５１に対向する第２主板８１１と、第２主板８１１からベース板７５１の第２面７５４に向けて突出する第２外周壁８１２と、を備える。第２外周壁８１２が内壁８５３と第１外周壁８５２との間に挿入されると、検出素子７１０を収容するための収容空間が形成される。
【０１０１】
図１０に示される如く、第１外周壁８５２は、上外壁８５５の右端と下外壁８５６の右端との間で延びる右外壁８５８を含む。第１ケース８５０は、右外壁８５８に隣接して形成されたフック片８５９を更に備える。フック片８５９は、第２ケース８１０に向けて突出する。本実施形態において、右外壁８５８は、第１外側壁として例示される。
【０１０２】
図１１に示される如く、第２ケース８１０は、第２外周壁８１２から右方に突出する係合部８１３を更に備える。係合部８１３は、スナップフィット式にフック片８５９と係合する。
【０１０３】
図１０に示される如く、接続板７５０は、ベース板７５１の左縁から第１ケース８５０に向けて突出する突出舌７５６と、突出舌７５６に対して左方に折り曲げられた副折曲片７５７とを更に備える。第１外周壁８５２は、右外壁８５８とは反対側の左外壁８６０を更に含む。第１ケース８５０は、上外壁８５５から折曲片７５２に向けて突出する第１固定柱８６１と、左外壁８６０から突出する副固定柱８６２と、を更に備える。副固定柱８６２は、左外壁８６０に隣接する。副折曲片７５７は、副固定柱８６２上で突出する。第２ケース８１０は、第２外周壁８１２から上方に（即ち、折曲片７５２に向けて）突出する第２固定柱８１４を更に備える。第２固定柱８１４は、上外壁８５５に形成された凹部８５４に嵌め込まれる。第１固定柱８６１、第２固定柱８１４及び副固定柱８６２には、下方に延びるネジ穴が形成される。本実施形態において、副折曲片７５７は、副接続片として例示される。また、左外壁８６０は、第２外側壁として例示される。
【０１０４】
図１４は、加速度センサ７００の概略的な平面図である。図１０、図１１及び図１４を用いて、接続板７５０への保護ケース８００の固定が説明される。
【０１０５】
図１０に示される如く折曲片７５２及び副折曲片７５７には、貫通孔７５８がそれぞれ形成される。加速度センサ７００は、固定ネジ７７０を更に備える。固定ネジ７７０は、一般的なネジと同様に、螺旋状の突条を有する棒状のネジ部７７１とネジ部７７１の端部に形成された頭部７７２とを備える。固定ネジ７７０は、貫通孔７５８にそれぞれ挿入される。
【０１０６】
固定ネジ７７０は、第１固定柱８６１に形成されたネジ穴と螺合する第１固定ネジ７７３と、第２固定柱８１４に形成されたネジ穴と螺合する第２固定ネジ７７４と、副固定柱８６２に螺合する第３固定ネジ７７５と、を含む。保護ケース８００は、固定ネジ７７０を用いて、接続板７５０に固定される。本実施形態において、固定ネジ７７０は、固定具として例示される。第１固定ネジ７７３は、第１固定具として例示される。第２固定ネジ７７４は、第２固定具として例示される。第３固定ネジ７７５は、第３固定具として例示される。
【０１０７】
図１４に示される如く、固定ネジ７７０の頭部７７２には、略十文字の溝部７７６が形成される。使用者は、溝部７７６へドライバ（図示せず）の先端を挿入し、ネジ部７７１を回転操作することができる。かくして、ネジ部７７１は、第１固定柱８６１、第２固定柱８１４及び副固定柱８６２に対して、それぞれ進退することができる。本実施形態において、頭部７７２は、操作部として例示される。また、ネジ部７７１は、ロッド部として例示される。
【０１０８】
図１１に示される如く、第１固定ネジ７７３の頭部７７２及び第１固定柱８６１は、折曲片７５２を挟む。また、第２固定ネジ７７４の頭部７７２及び第２固定柱８１４も、折曲片７５２を挟む。第３固定ネジ７７５の頭部７７２及び副固定柱８６２は、副折曲片７５７を挟む。図１４に示される如く、頭部７７２は、折曲片７５２及び副折曲片７５７上に現れるので、使用者は、側壁部１２１と外槽２２０との間の空間を利用して、加速度センサ７００に対する作業を効率的に行うことができる。
【０１０９】
図１５は、加速度センサ７００の概略的な背面図である。図９、図１０及び図１５を用いて、接続板７５０への保護ケース８００の固定が更に説明される。
【０１１０】
図１０に示される如く、ベース板７５１の下部には、開口部７５９が形成される。第１ケース８５０は、第１主板８５１の下端から下方に突出する爪部８６３を更に備える。図９及び図１５に示される如く、ベース板７５１の第２面７５４に取り付けられた第１ケース８５０の爪部８６３は、周リブ７５５によって形成された第１面７５３と外槽２２０の外面２４２との間の空隙内に挿入される。かくして、保護ケース８００の下部も接続板７５０に適切に固定される。
【０１１１】
図１６は、加速度センサ７００の下部の概略的な断面図である。図１７は、加速度センサ７００の概略的な底面図である。図１０、図１６及び図１７を用いて、第１ケース８５０と第２ケース８１０との間の接続が説明される。
【０１１２】
第２ケース８１０は、第２外周壁８１２の下縁から下方に突出する舌片８１５を更に備える。また、第１ケース８５０の下外壁８５６には、スリット８６４が形成される。舌片８１５は、スリット８６４に挿入される。かくして、第２ケース８１０は、接続板７５０及び第１ケース８５０に適切に接続される。
【産業上の利用可能性】
【０１１３】
本発明は、衣類を脱水させるための装置に好適に利用される。
【符号の説明】
【０１１４】
１００・・・・・・洗濯機
１１０・・・・・・筐体
１２６・・・・・・右壁
１５０・・・・・・制御装置
２００・・・・・・処理槽
２１０・・・・・・内槽
２２０・・・・・・外槽
２２１・・・・・・周壁
２２２・・・・・・底壁
２２３・・・・・・下縁
２２４・・・・・・上縁
２４２・・・・・・外面
４１０・・・・・・駆動モータ
６００・・・・・・循環システム
７００・・・・・・加速度センサ
７１０・・・・・・検出素子
７５０・・・・・・接続板
７５２・・・・・・折曲片
７５３・・・・・・第１面
７５４・・・・・・第２面
７５５・・・・・・周リブ
７５７・・・・・・副折曲片
７７０・・・・・・固定ネジ
７７１・・・・・・ネジ部
７７２・・・・・・頭部
７７３・・・・・・第１固定ネジ
７７４・・・・・・第２固定ネジ
７７５・・・・・・第３固定ネジ
８００・・・・・・保護ケース
８１０・・・・・・第２ケース
８１１・・・・・・第２主板
８１２・・・・・・第２外周壁
８１３・・・・・・係合部
８１４・・・・・・第２固定柱
８１５・・・・・・舌片
８５０・・・・・・第１ケース
８５１・・・・・・第１主板
８５２・・・・・・第１外周壁
８５３・・・・・・内壁
８５４・・・・・・凹部
８５５・・・・・・上外壁
８５６・・・・・・下外壁
８５８・・・・・・右外壁
８５９・・・・・・フック片
８６０・・・・・・左外壁
８６１・・・・・・第１固定柱
８６２・・・・・・副固定柱
８６３・・・・・・爪部
８６４・・・・・・スリット
【図１】
2012205781.tif 000003
【図２】
2012205781.tif 000004
【図３】
2012205781.tif 000005
【図４】
2012205781.tif 000006
【図５】
2012205781.tif 000007
【図６】
2012205781.tif 000008
【図７】
2012205781.tif 000009
【図８】
2012205781.tif 000010
【図９】
2012205781.tif 000011
【図１０】
2012205781.tif 000012
【図１１】
2012205781.tif 000013
【図１２】
2012205781.tif 000014
【図１３】
2012205781.tif 000015
【図１４】
2012205781.tif 000016
【図１５】
2012205781.tif 000017
【図１６】
2012205781.tif 000018
【図１７】
2012205781.tif 000019